(57)【要約】      （修正有）【課題】カードキーを紛失した場合でも、錠本体を交換することなく、簡単な部品交換だけで再度利用が可能な開き戸用錠を提供する。【解決手段】開き戸用錠は、カードキー３と、カードキー３を所定位置Ｐまで挿入することにより開錠されるロック機構８を有する錠本体とを備え、錠本体は、カードキー３を挿入する挿入路６と、挿入路６の途中に配置され、適合するカードキー３以外のカードキー３の移動を規制する規制部材とを備え、規制部材が錠本体に対して着脱可能に設けられたことを特徴とする。【選択図】図４
0003192422.tif 000002
【実用新案登録請求の範囲】
【請求項１】
カードキーと、前記カードキーを所定位置まで挿入することにより開錠されるロック機構を有する錠本体とを備えた開き戸用錠であって、前記錠本体は、前記カードキーを挿入する挿入路と、前記挿入路の途中に配置され、適合するカードキー以外のカードキーの移動を規制する規制部材とを備え、前記規制部材が前記錠本体に対して着脱可能に設けられたことを特徴とする開き戸用錠。
【請求項２】
前記挿入路を横断する方向に前記規制部材を案内する溝状の案内路が形成され、前記規制部材は、前記案内路をスライド可能に形成された基板と、前記基板上の任意の場所に立設される１又は２以上の凸部とを備え、前記規制部材に適合するカードキーは、前記挿入路に所定位置まで挿入する場合に、前記凸部が接触するカードキー先端位置から少なくとも前記凸部に対応する位置まで、前記凸部が通過可能な凹部が形成されたことを特徴とする請求項１に記載の開き戸用錠。
【請求項３】
前記規制部材は、前記錠本体に装着した状態で、錠本体より外方に突出しないように形成されるとともに、前記錠本体に、前記規制部材を錠本体から引き出すための治具を差込む差込孔が形成されたことを特徴とする請求項１又は２に記載の開き戸用錠。
【請求項４】
前記規制部材は、前記凸部として座付ピンが用いられ、前記基板に、前記座付ピンを挿通可能な貫通孔が複数形成されたことを特徴とする請求項２又は３に記載の開き戸用錠。
【請求項５】
前記カードキーは、ベース板と、前記ベース板の表面に着脱可能に取り付けられ、前記凹部としての切込部を有する表面板とを備えたことを特徴とする請求項１〜４のいずれか１項に記載の開き戸用錠。
【請求項６】
前記ベース板の表面に、前記表面板の切込部が形成される可能性のある領域を除いた領域に段差部が形成されたことを特徴とする請求項５に記載の開き戸用錠。
【考案の詳細な説明】
【技術分野】
【０００１】
本考案は、下駄箱、脱衣所の衣服収納箱、傘立て等の開き戸に設置される錠に関するものである。
【背景技術】
【０００２】
従来、下駄箱などで使用される開き戸用錠として、カードキーを錠本体に挿入することで開錠し、カードキーを錠本体から抜き取ることで施錠可能なタイプのものが多用されている。このような開き戸用錠の小型のものとしては、例えば、特許文献１に示すように、傘立用錠が知られている。
【先行技術文献】
【特許文献】
【０００３】
【特許文献１】実公昭３４−１４７５２号公報
【考案の概要】
【考案が解決しようとする課題】
【０００４】
ところで、上述の開き戸用錠は、一枚のカードキーで開錠できるのはペアとなる特定の錠本体に限定されていた。したがって、カードキーを紛失すると、錠本体ごと取り替える必要があり、交換コスト及び手間がかかるという問題があった。
【０００５】
そこで、本考案は、カードキーを紛失した場合でも、錠本体を交換することなく、簡単な部品交換だけで再度利用が可能な開き戸用錠を提供することを目的とする。
【課題を解決するための手段】
【０００６】
上記目的を達成するため、本考案に係る開き戸用錠は、カードキーと、前記カードキーを所定位置まで挿入することにより開錠されるロック機構を有する錠本体とを備えた開き戸用錠であって、前記錠本体は、前記カードキーを挿入する挿入路と、前記挿入路の途中に配置され、適合するカードキー以外のカードキーの移動を規制する規制部材とを備え、前記規制部材が前記錠本体に対して着脱可能に設けられたことを特徴とする。
【０００７】
上記構成によれば、カードキーを紛失した場合でも、錠本体全体を交換する必要はなく、規制部材を交換するだけで錠を再度利用することが可能となる。規制部材及びカードキーの構造については公知のものであれば特に限定されることなく使用することができる。
【０００８】
規制部材を交換するには、たとえば、錠本体を分解可能として規制部材を交換してもよいが、前記挿入路を横断する方向に前記規制部材を案内する溝状の案内路が形成され、前記規制部材は、前記案内路をスライド可能に形成された基板と、前記基板上の任意の場所に立設される１又は２以上の凸部とを備えた構成とすることができる。この場合、錠本体の左右いずれかの側面に、案内路に接続する開口を形成すればよい。
【０００９】
一方、前記規制部材に適合するカードキーは、前記挿入路に所定位置まで挿入する場合に、前記凸部が接触するカードキー先端位置から少なくとも前記凸部に対応する位置まで前記凸部が通過可能な凹部が形成された構成とすることができる。
【００１０】
上記構成によれば、錠本体を分解することなく、開口から規制部材を交換することが可能となる。凹部としては、切込部であってもよいし、溝部であってもよい。溝部を形成する場合、溝部の形成面は、カードキーを挿入路に挿入したときに凸部に対向する側の面とすればよい。
【００１１】
また、規制部材は、前記錠本体に装着した状態で、錠本体より外方に突出しないように形成されるとともに、前記錠本体に、前記規制部材を錠本体から引き出すための治具を差込む差込孔が形成された構成とすることもできる。
【００１２】
上記構成によれば、規制部材を錠本体に装着した状態で、直接、規制部材をつかんで取外すことができないため、いたずらによる規制部材の取外しを抑止することが可能となる。
【００１３】
規制部材は、前記凸部として座付ピンが用いられ、前記基板に、前記座付ピンを挿通可能な貫通孔が複数形成された構成とすることができる。上記構成によれば、座付ピンを基板の裏側から貫通孔に挿通させることで簡単に規制部材を組み立てることが可能となる。したがって、規制部材の部品を共用することが可能となる。
【００１４】
また、カードキーは、単一材料からなるカードを用いることができるほか、ベース板と、前記ベース板の表面に着脱可能に取り付けられ、前記凹部としての切込部を有する表面板とを備えた複合材料から構成とすることができる。具体的には、たとえば、切込部を形成する表面板は強度が必要とされるため、金属等の強度の高い材質で形成し、ベース板は表面板をカバーすることを目的とするため、合成樹脂等のように軽量で加工の容易な材質で形成することができる。
【００１５】
さらに、上記ベース板の表面に、前記表面板の切込部が形成される可能性のある領域を除いた領域に段差部を形成することもできる。これにより、表面板の厚みを薄くすることが可能となり、表面板の加工がより容易となる。
【考案の効果】
【００１６】
以上の説明から明らかな通り、本考案によると、カードキーを錠本体に対して着脱可能に設けたため、カードキーを紛失した場合でも、錠本体全体を交換する必要はなく、規制部材を交換するだけで錠を再度利用することが可能となる。
【図面の簡単な説明】
【００１７】
【図１】本考案の開き戸用錠を示す外観斜視図
【図２】図１における錠本体を示す分解斜視図
【図３】図２における規制部材を背面から見た斜視図
【図４】図１において前面板を取り除いた状態を示す斜視図
【図５】図１におけるカードキーを示す斜視図
【図６】図５のベース板を示す斜視図
【図７】本考案の開き戸用錠のロック機構（施錠状態）を示す斜視図
【図８】図７におけるロック機構の開錠状態を示す斜視図
【図９】本考案の開き戸用錠の背面板の内部を示す斜視図
【考案を実施するための形態】
【００１８】
以下、本考案の実施形態である開き戸用錠を図面に基づいて説明する。図１は、本考案に係る開き戸用錠を示す斜視図であり、図２は図１における錠本体を示す分解斜視図であり、図３は図２における規制部材を背面から見た斜視図であり、図４は図１において前面板を取り除いた状態を示す斜視図である。
【００１９】
図示のごとく、本実施形態における開き戸用錠は、開き戸側に設置される錠本体１と、開き戸を取り付ける枠側に設置される受部２と、錠本体１に挿入して開錠するカードキー３とを備える。錠本体１は、背面板４と、その前面及び側面を覆う前面板５とを備え、前面板５と背面板４との間に形成される空間がカードキー３を挿入する挿入路６とされる。挿入路５の途中に規制部材７が設置される。規制部材７に適合するカードキー３を挿入路６の所定位置Ｐ（以下、開錠位置Ｐという）まで挿入したときのみロック機構８が作動して開錠することができる。以下、開き戸用錠の具体的構成について説明する。
【００２０】
背面板４において、挿入路６の途中位置に、挿入路６を横断する方向（本実施形態では左右方向）に延びる凹状の案内路９が形成される。規制部材７は、案内路９をスライド可能に形成された基板１１と、基板１１上の任意の場所に立設される凸部としての座付ピン１２とを備える。基板１１には、座付ピン１２を挿通可能な貫通孔１３が複数形成されており、図３に示すように、任意の貫通孔１３に座付ピン１２を基板１１の裏面側から挿通させることで凸部を任意に配置可能な規制部材７を得ることができる。
【００２１】
開き戸用錠を複数設置する場合には、それぞれの開き戸用錠に用いる規制部材７の座付ピン１２の位置及び本数を変えることで一つの規制部材７に一つのカードキー３のみが適合するようにする。これによって、適合しないカードキー３を挿入路６に挿入した場合には、カードキー３の移動が規制部材７により規制され、開錠を阻止することができる。
【００２２】
前面板５の左側面には、前面板５を背面板４に取り付けた状態で、案内路９に接続する開口１４が形成される。規制部材７は、開口１４から案内路９内に案内され、そのままスライド移動させることで、図４に示す状態で錠本体（背面板４）に装着される。規制部材７は、錠本体１に装着された状態で、背面板４の前面と面一となり、挿入路６の一部を構成すると共に、規制部材７の開口側端面は、前面板５の左側面と面一となる。このように、規制部材７がいったん錠本体１に装着されると、直接、規制部材７をつかんで取外すことができないため、いたずらによる規制部材７の取外しを抑止することが可能となる。
【００２３】
図５に示すように、カードキー３は、合成樹脂製のベース板１５と、ベース板１５の表面に着脱可能に取り付けられる金属製の表面板１６とを備える。カードキー３は、表面板１６側の面を背面板４側に向けて挿入路６に挿入する。本考案では挿入路６に挿入する側のカードキー端をカードキー先端とする。規制部材７の座付ピン１２は、表面板１６には接触するが、ベース板１５には接触しない高さに調整される。
【００２４】
表面板１６には、カードキー３を挿入路６の開錠位置Ｐまで挿入する場合に、座付ピン１２が接触する表面板１６の先端から少なくとも座付ピン１２に対応する位置まで、座付ピン１２が通過可能な凹部として切込部１７が形成される。なお、表面板１６の先端位置は、ベース板１５の先端位置に必ずしも合せる必要はなく、例えば、図５に示すように、表面板１６の先端に切欠き１８を形成してもよい。
【００２５】
この場合、座付ピン１２が接触する表面板１６の先端は切欠き１８の端面となり、ここから座付ピン１２に対応する位置まで切込部１７を形成すればよい。このように、切欠き１８を形成して切込部１７の起点をカードキー３の内方に移動することにより、形成する切込部１７の長さを短くすることができるとともに、切込部１７のエッジ部で手指や衣服を傷つけることを抑制することが可能となる。
【００２６】
ベース板１５は、合成樹脂製の板で形成されており、成形を容易に行なうことができる。また、図６に示すように、ベース板１５の表面側に段差部１９を形成すれば、これがベース板１５と表面板１６とのスペーサとして機能するため、表面板１６の厚みを薄くすることが可能となり、表面板１６の加工がより容易となる。この場合、段差部１９は、表面板１６の切込部１７が形成される可能性のある領域を除いた領域に形成すればよい。
【００２７】
図７及び図８に示すように、ロック機構８は、枠側に設置される受部２に対して係脱可能に設けられた係止片２０と、挿入路６内へのカードキー３の挿入に応じて係止片２０を上下移動させる作動レバー２１とを備える。作動レバー２１は、その中央部分が背面板４に対して回動自在に設けられ、作動レバー２１の一端側に係止片２０が回動自在に軸支され、作動レバー２１の他端側にカードキー３に当接する当接部２２が形成される。作動レバー２１は、係止片２０を中心に左右対称位置に一対設けられる。
【００２８】
上記構成のロック機構８において、カードキー３が挿入路６に挿入されていない状態では、図７に示すように、係止片２０は自重によって下方に移動し、受部２に係合して施錠状態となる。一方、図８に示すように、カードキー３を挿入路６に挿入すると、カードキー３の重みにより、カードキー３の先端が当接部に当接する。その後はカードキー３の挿入に応じて作動レバー２１が回動して係止片２０が上方に移動する。そして、カードキー３が開錠位置Ｐに達した時点で係止片２０が受部２から離脱し、開錠状態となる。
【００２９】
図９に示すように、錠本体の左側面において、開口１４の上方には規制部材７を錠本体１から引き出すための治具Ｊを差込む差込孔２３が形成される。そして、規制部材７の上面で、開口側端部の近傍には規制部材７を引き出すための引出用凹部２４が形成される。
【００３０】
上記構成において、規制部材７を錠本体１から引き出す治具Ｊとしては、図９に示すように、Ｌ字状のものを使用し治具Ｊの短辺側を下向きにして差込孔２３に差込みつつ、治具Ｊの長辺側を引き上げるようにすれば、治具Ｊの短辺が引出用凹部２４に嵌り、そのまま規制部材７を開口１４から突出させることができる。あとは、突出した規制部材７を直接つまんで引き出せばよい。
【００３１】
以上、本考案の実施形態につき説明したが、本考案の範囲はこれに限定されるものではなく、考案の主旨を逸脱しない範囲で種々の変更を加えて実施することができる。たとえば、ロック機構８としては、公知のものであれば特に限定なく使用することができる。具体的には、カードキーを挿入したときにバネの付勢力によって開錠し、施錠時にはバネに抗して係止片を施錠位置まで移動させた後、カードキーを抜き取るものであってもよい。
【００３２】
また、カードキーに形成する凹部として、上記実施形態では切込部を形成したが、凹部として溝部を形成してもよい。
【符号の説明】
【００３３】
１          錠本体
２          受部
３          カードキー
４          背面板
５          前面板
６          挿入路
７          規制部材
８          ロック機構
９          案内路
１１        基板
１２        座付ピン
１３        貫通孔
１４        開口
１５        ベース板
１６        表面板
１７        切込部
１８        切欠き
１９        段差部
２０        係止片
２１        作動レバー
２２        当接部
２３        差込孔
２４        引出用凹部
【図１】
0003192422.tif 000003
【図２】
0003192422.tif 000004
【図３】
0003192422.tif 000005
【図４】
0003192422.tif 000006
【図５】
0003192422.tif 000007
【図６】
0003192422.tif 000008
【図７】
0003192422.tif 000009
【図８】
0003192422.tif 000010
【図９】
0003192422.tif 000011